(57)【要約】      （修正有）【課題】ＨｅｔＮｅｔモビリティの改善に関するものであり、特に、ハンドオーバーの失敗の低減に関する装置を提供する。【解決手段】ソースｅＮＢが、ハンドオーバー意思決定の間に、ハンドオーバー候補として、目標小セルに加えてオーバーレイマクロｅＮｏｄｅＢを用意する。ＵＥは、ＲＲＣメッセージングを用いて、目標小セル及びｅＮｏｄｅＢを通知される。ハンドオーバーコマンドを受信するか、又はＲＦ損失を検出した後に、ＵＥは、目標小セルに接続しようと試みることができる。ＵＥが目標小セルに接続することができない（ＲＡＣＨ失敗）場合には、ＵＥは、マクロｅＮｏｄｅＢに接続する。【選択図】図５
2018033142.tif 000002
【特許請求の範囲】
【請求項１】
ＨｅｔＮｅｔ無線通信システムにおけるモビリティ管理のためのシステムであって、
前記システムは、モバイル機器と通信するソース小セルを備え、前記ソース小セルが、
前記モバイル機器にハンドオーバーコマンドを送信する前のハンドオーバー準備の期間に、オーバーレイマクロセル及び目標小セルを前もって用意し、
前記用意されたオーバーレイマクロセル及び前記用意された目標小セルの識別子を、無線リソース制御（ＲＲＣ）メッセージングを用いて、前記モバイル機器に通知し、
前記モバイル機器に前記ハンドオーバーコマンドを送信する
ように構成されていることを特徴とするシステム。
【請求項２】
前記モバイル機器が、
前記ソース小セルから前記ＲＲＣメッセージングを受信し、
前記ソース小セルから前記ハンドオーバーコマンドを受信し、
前記用意された目標小セルとのハンドオーバーを完了することを最初に試み、
前記最初の試みが失敗すると、次に、前記用意されたオーバーレイマクロセルとのハンドオーバーを完了するためにフォールバックする
ように構成されていることを特徴とする請求項１に記載のシステム。
【請求項３】
前記モバイル機器が、更に、
無線リンク障害を検出し、
前記用意されたオーバーレイマクロセルとのＲＲＣ再確立を実行することを最初に試み、
再確立成功の後、前記オーバーレイマクロセルから近くの小セルへのハンドオーバーを実行する
ように構成されていることを特徴とする請求項２に記載のシステム。
【請求項４】
前記モバイル機器が、
前記ソース小セルから前記ＲＲＣメッセージングを受信し、
無線リンク障害を検出し、
前記用意されたオーバーレイマクロセルとのＲＲＣ再確立を実行することを最初に試み、
再確立成功の後、前記オーバーレイマクロセルから近くの小セルへのハンドオーバーを実行する
ように構成されていることを特徴とする請求項１に記載のシステム。
【請求項５】
ＨｅｔＮｅｔ無線通信システムにおけるモビリティ管理のための方法であって、
モバイル機器と通信するソース小セルにおいて、
前記モバイル機器にハンドオーバーコマンドを送信する前のハンドオーバー準備の期間に、オーバーレイマクロセル及び目標小セルを前もって用意する工程と、
前記用意されたオーバーレイマクロセル及び前記用意された目標小セルの識別子を、無線リソース制御（ＲＲＣ）メッセージングを用いて、前記モバイル機器に通知する工程と、
前記モバイル機器に前記ハンドオーバーコマンドを送信する工程と
を含むことを特徴とする方法。
【請求項６】
前記モバイル機器において、
前記ソース小セルから前記ＲＲＣメッセージングを受信し、
前記ソース小セルから前記ハンドオーバーコマンドを受信し、
前記用意された目標小セルとのハンドオーバーを完了することを最初に試み、
前記最初の試みが失敗すると、次に、前記用意されたオーバーレイマクロセルとのハンドオーバーを完了するためにフォールバックする
ことを特徴とする請求項５に記載の方法。
【請求項７】
前記モバイル機器において、
無線リンク障害を検出し、
前記用意されたオーバーレイマクロセルとのＲＲＣ再確立を実行することを最初に試み、
再確立成功の後、前記オーバーレイマクロセルから近くの小セルへのハンドオーバーを実行する
ことを特徴とする請求項６に記載の方法。
【請求項８】
前記モバイル機器において、
前記ソース小セルから前記ＲＲＣメッセージングを受信し、
無線リンク障害を検出し、
前記用意されたオーバーレイマクロセルとのＲＲＣ再確立を実行することを最初に試み、
再確立成功の後、前記オーバーレイマクロセルから近くの小セルへのハンドオーバーを実行する
ことを特徴とする請求項５に記載の方法。
【請求項９】
ＨｅｔＮｅｔ無線通信システムにおけるモバイル機器を用いたモビリティ管理のための方法であって、
ソース小セルによるハンドオーバー準備の期間に前もって用意されたオーバーレイマクロセル及び目標小セルを特定する無線リソース制御（ＲＲＣ）メッセージングを受信する工程と、
ハンドオーバーコマンドを受信する工程と、
前記用意された目標小セルとのハンドオーバーを完了することを試みる工程と、
前記用意された目標小セルとのハンドオーバーを完了する試みが失敗すると、前記用意されたオーバーレイマクロセルにフォールバックする工程と
を含むことを特徴とする方法。
【請求項１０】
無線リンク障害を検出する工程と、
前記用意されたオーバーレイマクロセルとのＲＲＣ再確立を実行することを試みる工程と、
再確立成功の後、前記オーバーレイマクロセルから近くの小セルへのハンドオーバーを実行する工程と、
を含むことを特徴とする請求項９に記載の方法。
【請求項１１】
ＨｅｔＮｅｔ無線通信システムにおけるモバイル機器を用いたモビリティ管理のための装置であって、
ソースセルによるハンドオーバー準備の期間に前もって用意されたオーバーレイマクロセル及び目標小セルを特定する無線リソース制御（ＲＲＣ）メッセージングを受信する手段と、
ハンドオーバーコマンドを受信する手段と、
前記用意された目標小セルとのハンドオーバーを完了することを試みる手段と、
前記用意された目標小セルとのハンドオーバーを完了することを試みる前記手段が失敗すると、前記用意されたオーバーレイマクロセルにフォールバックする手段と
を備えることを特徴とする装置。
【請求項１２】
無線リンク障害を検出する手段と、
前記用意されたオーバーレイマクロセルとのＲＲＣ再確立を実行することを試みる手段と、
再確立成功の後、前記オーバーレイマクロセルから近くの小セルへのハンドオーバーを実行する手段と、
を備えることを特徴とする請求項１１に記載の装置。
【請求項１３】
ＨｅｔＮｅｔ無線通信システムにおけるソースセルを用いたモビリティ管理のための方法であって、
モバイル機器にハンドオーバーコマンドを送信する前のハンドオーバー準備の期間に、オーバーレイマクロセル及び目標小セルを前もって用意する工程と、
前記用意されたオーバーレイマクロセル及び前記用意された目標小セルの識別子を前記モバイル機器に通知するＲＲＣメッセージを送信する工程と、
前記モバイル機器に前記ハンドオーバーコマンドを送信する工程と
を含むことを特徴とする方法。
【請求項１４】
ＨｅｔＮｅｔ無線通信システムにおけるソースセルを用いたモビリティ管理のための装置であって、
モバイル機器にハンドオーバーコマンドを送信する前のハンドオーバー準備の期間に、オーバーレイマクロセル及び目標小セルを前もって用意する手段と、
前記用意されたオーバーレイマクロセル及び前記目標小セルの識別子を前記モバイル機器に通知するＲＲＣメッセージを送信する手段と、
前記モバイル機器に前記ハンドオーバーコマンドを送信する手段と
を備えることを特徴とする装置。
【請求項１５】
ＨｅｔＮｅｔ無線通信システムにおけるモビリティ管理のためのシステムであって、
ソースセルに接続したモードのモバイル機器を備え、
前記ソースセルは、前記モバイル機器についてのモビリティ状態を判定し、前記モビリティ状態は、少なくとも１つの低モビリティ状態及び少なくとも１つの高モビリティ状態を含み、
前記モバイル機器が前記少なくとも１つの高モビリティ状態にあると、前記ソースセルは、短縮された無線リソース制御（ＲＲＣ）不活動タイマーを決定し、
前記モバイル機器が特定の閾値を超えると、前記ソースセルが、前記短縮されたＲＲＣ不活動タイマー用パラメータについての異なるセットを前記モバイル機器に設定する
ことを特徴とするシステム。
【請求項１６】
前記モバイル機器は、モビリティ状態を前記ソースセルに報告する
ことを特徴とする請求項１５に記載のシステム。
【請求項１７】
前記モバイル機器は、無線リソース制御（ＲＲＣ）を介して前記ソースセルによって設定される、媒体アクセス制御（ＭＡＣ）制御エレメント（ＣＥ）及びモバイル機器測定報告のうちの少なくとも１つを介して、前記ソースセルに報告する
ことを特徴とする請求項１６に記載のシステム。
【請求項１８】
前記ソースセルは、前記モバイル機器の前記モビリティ状態を推定する
ことを特徴とする請求項１５に記載のシステム。
【請求項１９】
ＨｅｔＮｅｔ無線通信方法におけるソースセルのモビリティ管理のための方法であって、
モバイル機器のモビリティ状態を判定する工程であって、前記モビリティ状態は少なくとも１つの低モビリティ状態及び少なくとも１つの高モビリティ状態を含む、前記判定する工程と、
前記モバイル機器が前記少なくとも１つの高モビリティ状態にあると、短縮された無線リソース制御（ＲＲＣ）不活動タイマーを決定する工程と、
前記モバイル機器が特定の閾値を超えると、前記短縮されたＲＲＣ不活動タイマー用パラメータについての異なるセットを含むモバイル機器設定を送信する工程と
を含みことを特徴とする方法。
【請求項２０】
前記モビリティ状態は、前記モバイル機器から受信される
ことを特徴とする請求項１９に記載の方法。
【請求項２１】
前記モビリティ状態は、無線リソース制御（ＲＲＣ）を介して前記ソースセルによって設定される、媒体アクセス制御（ＭＡＣ）制御エレメント（ＣＥ）及びモバイル機器測定報告のうちの少なくとも１つを介して受信される
ことを特徴とする請求項２０に記載の方法。
【請求項２２】
前記モビリティ状態は、前記ソースセルによって推定される
ことを特徴とする請求項１９に記載の方法。
【発明の詳細な説明】
【技術分野】
【０００１】
本開示は、無線通信を対象とし、より具体的には、無線通信のＨｅｔＮｅｔモビリティ管理を対象としている。
【背景技術】
【０００２】
無線通信システムは、音声、ビデオ、パケットデータ、回線交換情報、ブロードキャスト、メッセージサービスその他、などのさまざまな通信サービスを提供するために、広く配置されている。一般的な無線通信システム、又はネットワークは、１つ以上の共用リソース（例えば、帯域、送信電力等）の利用を複数ユーザに提供することができる。これらのシステムは、利用可能なシステムリソースを共有することによって、複数の端末の通信をサポートすることが可能なマルチアクセスシステムとすることができる。かかるマルチアクセスシステムとしては、符号分割多元接続（ＣＤＭＡ）システム、時分割多元接続（ＴＤＭＡ）システム、周波数分割多元接続（ＦＤＭＡ）システム、及び直交周波数分割多元接続（ＯＦＤＭＡ）システムが挙げられる。
【０００３】
通常、無線多重アクセス通信システムは、複数の無線デバイス又は端末の通信を同時にサポートすることができる。かかるシステムでは、それぞれの端末は、フォワード及びリバースのリンク上の伝送を介して、１つ以上の基地局と通信することができる。フォワードリンク（又は下りリンク）は、基地局から端末への通信リンクのことを言い、リバースリンク（又は上りリンク）は、端末から基地局への通信リンクのことを言う。この通信リンクは、単入力単出力（ＳＩＳＯ）、単入力多出力（ＳＩＭＯ）、多入力単出力（ＭＩＳＯ）、又は多入力多出力（ＭＩＭＯ）システムを介して、確立することができる。
【０００４】
例えば、ＭＩＭＯシステムは、データ伝送に関して、多重（ＮＴ個）送信アンテナ及び多重（ＮＲ個）受信アンテナを使用することができる。ＮＴ個の送信及びＮＲ個の受信アンテナで形成されるＭＩＭＯチャネルは、ＮＳ個の独立したチャネルに分解することができる。それは空間チャネルとも呼ばれ、ＮＳ≦ｍｉｎ｛ＮＴ、ＮＲ｝と表される。ＮＳ個の独立したチャネルの各々は、次元に対応し得る。多重送受信アンテナで生成される追加の次元の数が利用されるならば、ＭＩＭＯシステムは、改善された性能（例えば、より高いスループットやより大きな信頼性）を提供することができる。
【０００５】
ＭＩＭＯシステムは、時分割複信（ＴＤＤ）及び周波数分割複信（ＦＤＤ）システムをサポートすることができる。ＦＤＤシステムでは、送信及び受信のチャネルは、ガードバンド（バッファ又は絶縁体としての機能を果たす若干の大きさの帯域）で分離されている。これによって、実質的に２つの異なった無線リンクを開くことにより、双方向データ伝送が可能となる。ＴＤＤシステムでは、１つのチャネルだけを送信及び受信のために使い、そのチャネルを異なる時間スロット単位に分割する。ガードバンドは使わない。これによって、バッファ帯域を除去することにより、スペクトル効率を増加させることができ、非同期用途における柔軟性を増加させることもできる。例えば、上りリンクの方が通信量が少ない場合には、上り方向のタイムスライスを低減することができ、下りリンクの通信の方に再配分される。
【０００６】
無線通信システムでは、カバーエリアを提供する１つ以上の基地局を使用することが多い。一般的な基地局は、ブロードキャスト、マルチキャスト及び／又はユニキャストのサービス用の多重データストリームを送信することができる。その一つのデータストリームを、モバイル機器に対して、独立した受信の関心となり得るデータのストリームとすることができる。かかる基地局のカバーエリア内のモバイル機器を使用することにより、複合ストリームによって伝達される１つの、２つ以上の、又は、全てのデータストリームを受信することができる。同様に、モバイル機器は、基地局又は別のモバイル機器に、データを送信することができる。
【０００７】
無線通信の激増で、無線ネットワーク又はシステムにわたって、複数の種類のアクセスノードが使用される可能性がある。かかるネットワーク又はシステムは、ＨｅｔＮｅｔ（又は、異種ネットワーク）と呼ばれる。例えば、無線システムは、１つ以上の、より小さなローカルエリアネットワーク（アクセスポイント、マイクロセル、ピコセル、フェムトセル等）を覆う、より大きなカバレッジの広域ネットワーク（マクロセル、基地局、進化型ノードＢ等）を含むことができる。ＨｅｔＮｅｔは、多種多様な無線カバレッジゾーンを有する環境における無線カバレッジを提供することができる。これは、オープンな屋外環境から、オフィスビル、住宅、地下区域、並びに、これらと他の組合せ、にわたる。このように、ＨｅｔＮｅｔは、マクロセル、より小さなセル、及び、ある場合には、同時に使用されるワイファイネットワークエレメント、の間の複雑な相互動作を有するネットワークと考えることができる。このネットワークは、モザイク状のカバレッジを提供し、ネットワークエレメント間のモバイル機器ハンドオフ能力を有している。
【０００８】
概して、ＨｅｔＮｅｔは、１つ以上の懸念に対処するために配置することができ、そのうちの２つは、説明の目的だけのためにここに記載している。第１には、ＨｅｔＮｅｔは、典型的な又は独立型のセルのカバーエリアを増加させるのに役立つことができる。例えば、ＨｅｔＮｅｔ配置は、ネットワーク内のエリアに届くハードのカバレッジを改善するのに役立つ。それは、マクロセルの配置によってでは、簡単に又は経済的に提供できない。第２には、ＨｅｔＮｅｔは標準的なセルの容量を増加させるのに役立つことができる。無線アクセスネットワークの通信は、ネットワークにわたって一様に分布していない可能性があり、無線ネットワーク配置内で、通常、小さな地理的エリアに加入者が集中している区域がある。既存のマクロセルの配置は、これらの高密度に加入者が集中したエリアの容量の需要に適合することができない恐れがある。かかる高密度に加入者が集中した区域は、ホットスポットとして理解することができる。ホットスポットの容量需要に対処するために、無線オペレーターは、容量需要に適合するように、小セルの濃度の高い配置を考慮している。ホットスポットにおける小セル及びマクロセルの同時配置は、ＨｅｔＮｅｔ配置につながる。たとえＨｅｔＮｅｔ配置が容量問題を解決するのに役立つとしても、少し例を挙げれば、モビリティ及び干渉の問題をもたらす恐れがある。
【０００９】
したがって、必要なものは、ＨｅｔＮｅｔ配置によってもたらされるモビリティ問題の少なくとも一部を軽減するのに役立つ技術である。
【図面の簡単な説明】
【００１０】
【図１】特定の実施形態に係る、例示的な無線多重アクセス通信システムを示す図である。
【００１１】
【図２】特定の実施形態に係る、例示的なモバイル機器又はユーザ機器（ＵＥ）のブロック図である。
【００１２】
【図３】特定の実施形態に係る、例示的な拡張Ｎｏｄｅ  Ｂ（ｅＮＢ）、又は、同様な移動体通信ノード（例えば、基地局、アクセスポイント等）のブロック図である。
【００１３】
【図４】特定の実施形態に係る、例示的な無線ＨｅｔＮｅｔ構成を示す図である。
【００１４】
【図５】特定の実施形態に係る、例示的な修正されたＨｅｔＮｅｔハンドオーバーのフローを示す図である。
【００１５】
【図６】特定の実施形態に係る、例示的な修正されたＨｅｔＮｅｔハンドオーバーのコールフローを示す図である。
【００１６】
【図７】特定の実施形態に係る、無線リンク障害をサポートするための、例示的な修正されたＨｅｔＮｅｔハンドオーバーのコールフローを示す図である。
【００１７】
【図８】特定の実施形態に係る、例示的なＨｅｔＮｅｔハンドオーバー接続使用ケースを示す図である。
【００１８】
【図９】特定の実施形態に係る、例示的なＨｅｔＮｅｔハンドオーバーＣ−ＤＲＸケースを示す図である。
【発明を実施するための形態】
【００１９】
以下の詳細な説明は、特定の実施形態の実例を対象とする。しかし、本開示は、特許請求の範囲によって定義され包含されるような多数の異なる方法で、具現化することができる。本明細書の説明においては、図面を参照する。図面において、本出願中の同様な部品は同様な数字で指定する。
【００２０】
本開示は、アクセスポイント、モバイル機器、基地局、ユーザ機器、ノードＢ、アクセス端末及びｅＮＢなどの、さまざまな無線通信機器を参照する。これらの及び別の名称の使用は、１つの特定の機器、１つの特定の規格若しくはプロトコル、又は１つの特定の信号方向を指す又は要求することを意図していない。そして、本出願の範囲を全く限定するものではないことを明白に意図している。これらの及び別の名称の使用は、全く便宜上のものであり、かかる名称は、適用範囲又は権利のいかなる喪失もなく、本出願内で入れ替えることができる。
【００２１】
本明細書に記載のさまざまな技術は、以下の種々の無線通信システムに使用することができる。符号分割多元接続（「ＣＤＭＡ」）システム、マルチキャリアＣＤＭＡ（「ＭＣＣＤＭＡ」）、広帯域ＣＤＭＡ（「Ｗ−ＣＤＭＡ」）、高速パケットアクセス（「ＨＳＰＡ」、「ＨＳＰＡ＋」）システム、時分割多元接続（「ＴＤＭＡ」）システム、周波数分割多元接続（「ＦＤＭＡ」）システム、シングルキャリアＦＤＭＡ（「ＳＣ−ＦＤＭＡ」）システム、直交周波数分割多元接続（「ＯＦＤＭＡ」）システム又は別の多元接続技術、などである。本明細書の教示を使用する無線通信システムは、ＩＳ−９５、ｃｄｍａ２０００、ＩＳ−８５６、Ｗ−ＣＤＭＡ、ＴＤＳＣＤＭＡ、及び他の規格などの、一つ以上の規格を実施するように設計することができる。ＣＤＭＡネットワークは、地上波無線アクセス（Universal Terrestrial Radio Access、「ＵＴＲＡ」）、ｃｄｍａ２０００又は若干の他の技術、などの無線技術を実施することができる。ＵＴＲＡは、Ｗ−ＣＤＭＡ及び低チップレート（Low Chip Rate、「ＬＣＲ」）を含む。ｃｄｍａ２０００技術は、ＩＳ−２０００、ＩＳ−９５及びＩＳ−８５６の規格を包含する。ＴＤＭＡネットワークは、移動通信用のグローバルシステム（「ＧＳＭ（登録商標）」）などの無線技術を実施することができる。ＯＦＤＭＡネットワークは、進化型ＵＴＲＡ（「Ｅ−ＵＴＲＡ」）、ＩＥＥＥ  ８０２．１１（「ＷｉＦｉ（登録商標）」）、ＩＥＥＥ  ８０２．１６「ＷｉＭａｘ（登録商標）」）、ＩＥＥＥ  ８０２．２０（「ＭＢＷＡ」）、Ｆｌａｓｈ−ＯＦＤＭ．ＲＴＭ．、その他、などの無線技術を実施することができる。ＵＴＲＡ、Ｅ−ＵＴＲＡ、及びＧＳＭ（登録商標）は、ユニバーサル移動体通信システム（「ＵＭＴＳ」）の一部である。本明細書の教示は、３ＧＰＰロングタームエボリューション（「ＬＴＥ」）システム、ウルトラモバイルブロードバンド（「ＵＭＢ」）システム、及び、他の種類のシステムで実施することができる。ＬＴＥは、Ｅ−ＵＴＲＡを使用するＵＭＴＳのリリースである。本開示の特定の態様は、３ＧＰＰ用語を用いて説明することができるが、本明細書の教示は、３ＧＰＰ（Ｒｅ１９９、Ｒｅ１５、Ｒｅ１６、Ｒｅ１７）技術、並びに、３ＧＰＰ２（１ｘＲＴＴ、１ｘＥＶ−ＤＯ  Ｒｅｌ０、ＲｅｖＡ、ＲｅｖＢ）技術及びＷｉＦｉ、ＷｉＭＡＸ、ＷＭＢＡなどの他の技術に適用することができることを理解されたい。
【００２２】
次に図面を参照して、図１は、特定の実施形態に係る、例示的な無線多重アクセス通信システム１００を示す。１つの例では、拡張Ｎｏｄｅ  Ｂ（ｅＮＢ）基地局１０２は、複数のアンテナ群を含む。図１に示すように、１つのアンテナ群は、アンテナ１０４及び１０６を含むことができ、別の群は、アンテナ１０８及び１１０を含むことができ、更に別の群はアンテナ１１２及び１１４を含むことができる。それぞれのアンテナ群について、２つのアンテナだけが図１に示されているが、より多くの又はより少ないアンテナを、それぞれのアンテナ群について利用することができることを理解されたい。図に示すように、ユーザ機器（ＵＥ）１１６は、アンテナ１１２及び１１４と通信することができる。ここで、アンテナ１１２及び１１４は、下りリンク（又は、フォワードリンク）１２０上で、ＵＥ  １１６に情報を送信し、上りリンク（又は、リバースリンク）１１８上で、ＵＥ  １１６から情報を受信する。更に及び／又は代替的に、ＵＥ  １２２は、アンテナ１０４及び１０６と通信することができる。ここで、アンテナ１０４及び１０６は、下りリンク１２６上で、ＵＥ  １２２に情報を送信し、上りリンク１２４上で、ＵＥ  １２２から情報を受信する。周波数分割複信（ＦＤＤ）システムでは、通信リンク１１８、１２０、１２４、及び１２６は、異なる通信用周波数を用いることができる。時分割複信（ＴＤＤ）システムでは、通信リンクは、通信用に同じ周波数を、ただし異なる時間に、用いることができる。
【００２３】
アンテナの各群及び／又はその中で通信するように設計されているエリアは、ｅＮＢ又は基地局のセクターと呼ぶことができる。一実施態様によれば、アンテナ群は、ｅＮＢ  １０２によってカバーされるエリアのセクターで、モバイル機器と通信するように設計することができる。下りリンク１２０及び１２６上の通信において、ｅＮＢ  １０２の送信アンテナは、異なるＵＥ  １１６及び１２２用の下りリンクの信号対雑音比を改善するために、ビームフォーミングを利用することができる。また、そのカバリッジでランダムに散存するＵＥに送信するためにビームフォーミングを用いる基地局は、近隣のセルのモバイル機器に対して引き起こす干渉が、単一のアンテナによって全てのそのＵＥに送信する基地局よりも、少ない。ビームフォーミングに加えて、アンテナ群は、空間多重化、空間ダイバーシティ、パターンダイバーシティ、偏波ダイバーシティ、送信／受信ダイバーシティ、適応アレイ、等などの、他の複数アンテナ又はアンテナダイバーシティ技術を用いることができる。
【００２４】
図２は、特定の実施形態に係る例示的なモバイル機器又はユーザ機器（ＵＥ）２１０のブロック図２００を示す。図２に示すように、ＵＥ  ２１０は、送受信機２１０、アンテナ２２０、プロセッサ２３０及びメモリ２４０（特定の実施形態では、加入者識別モジュール（ＳＩＭ）カード内のメモリを含み得る）を含むことができる。特定の実施形態では、モバイル通信機器によって実行されているような本明細書に記載の機能の一部若しくは全ては、コンピュータ可読媒体（図２に示すようなメモリ２４０など）上に記憶される命令を実行するプロセッサ２３０によって、提供することができる。更に、ＵＥ  ２１０は、更に本明細書に開示されたように、送受信機２１０及びアンテナ２２０を経由して、上りリンク及び／又は下りリンク通信機能を実行することができる。１つのアンテナだけがＵＥ  ２１０について示されているが、特定の実施形態は、複数アンテナモバイル機器に等しく適用できる。特定の実施形態では、ＵＥ  ２１０は、図２で示されるものを超えて、追加の構成要素を含むことができる。これら構成要素は、ネットワークの基地局との通信、及び、送受信の情報の処理、などの、本明細書に記載のいかなる機能も含むＵＥ  ２１０の機能を可能にするか又は実行するための責任を果たし得る。かかる追加の構成要素は、図２に示されてはいないが、本出願の適用範囲内であることが意図されている。
【００２５】
図３は、特定の実施形態に係る、例示的な拡張Ｎｏｄｅ  Ｂ（ｅＮＢ）３１０、又は同様なモバイル通信ノード（例えば、基地局、アクセスポイント等）のブロック図３００を示す。図３に示すように、ｅＮＢ  ３１０は、無線周波数（ＲＦ）送信機３４０、及び、ｅＮＢアンテナ３２０に接続されたＲＦ受信機３５０のユニットを介して、携帯用ハンドセットとの無線通信を提供するベースバンドプロセッサ３３０を含むことができる。１つのアンテナだけが示されているが、特定の実施形態は、複数アンテナの構成に適用できる。ＲＦ送信機３４０及びＲＦ受信機３５０は、１つの送受信機ユニットに結合することができるか、又は、複数のアンテナ接続を促進するために、複製することができる。ベースバンドプロセッサ３３０は、３ＧＰＰ  ＬＴＥなどの無線通信規格に従って機能するように（ハードウェア及び／又はソフトウェアで）構成することができる。ベースバンドプロセッサ３３０は、ｅＮＢ及びスケジューラ３３６の関係情報を処理し記憶するために、メモリ３３４と通信する処理ユニット３３２を含むことができる。このスケジューラは、ｅＮＢ  ３１０によってサービスされるモバイル機器に関するスケジューリングの決定を提供することができる。スケジューラ３３６は、ＬＴＥシステムにおけるｅＮＢの一般的なスケジューラと同じデータ構造の一部又は全てを有することができる。
【００２６】
ベースバンドプロセッサ３３０は、必要に応じて、追加のベースバンド信号処理（例えば、モバイル機器登録、チャネル信号情報送信、無線リソース管理等）を提供することもできる。処理ユニット３３２としては、一例として、以下のものを挙げることができる。汎用プロセッサ、専用プロセッサ、従来のプロセッサ、デジタル信号処理プロセッサ（ＤＳＰ）、複数のマイクロプロセッサ、ＤＳＰコアを伴う一つ以上のマイクロプロセッサ、コントローラ、マイクロコントローラ、特定用途向け集積回路（ＡＳＩＣ）、フィールドプログラマブルゲートアレイ（ＦＰＧＡ）回路、他の任意の種類の集積回路（ＩＣ）、及び／又は状態機械である。モバイル基地局、基地局コントローラ、ノードＢ、拡張Ｎｏｄｅ  Ｂ、アクセスポイント、ホーム基地局、フェムトセル基地局、及び／又は他の任意の種類のモバイル通信ノードによって提供されるような、本明細書に記載の機能の一部若しくは全ては、コンピュータ可読データ記憶媒体（図３に示されるメモリ３３４など）上に記憶される命令を実行するプロセッサ３３２によって、提供することができる。
【００２７】
特定の実施形態では、ｅＮＢ  ３１０は、図３に示すように、タイミング及び制御ユニット３６０及びコアネットワークインターフェースユニット３７０を更に含むことができる。タイミング及び制御ユニット３６０は、ベースバンドプロセッサ３３０及びネットワークインターフェースユニット３７０の動作を監視することができ、これらのユニットに適切なタイミング及び制御信号を提供することができる。ネットワークインターフェースユニット３７０は、ｅＮＢ  ３１０がコア又はバックエンドのネットワーク（図示せず）と通信する双方向インターフェースを提供し、ｅＮＢ  ３１０を介してネットワークで動作するモバイル加入者に関する管理及びコール管理機能を促進することができる。
【００２８】
基地局３１０の特定の実施形態は、追加の機能を提供する責任のある追加の構成要素を含むことができる。この追加の機能は、本明細書で特定された任意の機能、及び／又は、本明細書に記載されたソリューションをサポートするために必要な任意の機能を含む。機能及び要素が特定の組合せで説明されているが、それぞれの機能又は要素は、他の機能及び要素なしに単独で、又は、一つ以上の機能及び要素とのさまざまな組合せで、若しくは組み合わせることなく、用いることができる。本明細書で提供される方法は、コンピュータプログラム、ソフトウェア、又はコンピュータ可読記憶媒体（例えば、図３のメモリ３３４）に組み込まれて、汎用計算機又はプロセッサ（例えば、図３の処理ユニット３３２）により実行されるファームウェアで実施することができる。コンピュータ可読記憶媒体の例として、以下のものが挙げられる。読取り専用メモリ（ＲＯＭ）、ランダムアクセスメモリ（ＲＡＭ）、デジタルレジスタ、キャッシュメモリ、半導体記憶装置、内蔵ハードディスク、磁気テープ及び取外し可能ディスクなどの磁気媒体、光磁気媒体、及びＣＤＲＯＭディスク、デジタル多用途ディスク（ＤＶＤ）などの光媒体、などである。
【００２９】
図４は、特定の実施形態に係る、例示的な無線ＨｅｔＮｅｔ構成４００を示す。図４に示すように、モバイル機器（ハンドセット、ＵＥ、ラップトップ、タブレット等）４３０は、ＨｅｔＮｅｔ  ４００のカバーエリア内にある。ＨｅｔＮｅｔ  ４００は、複数のネットワークカバー区域を含むことができる。例えば、最も大きなカバーエリアは、マクロセル（ｅＮＢ、基地局等）４１０Ａとすることができる。マクロセル４１０Ａのカバーエリアの中に（又は一部分が中に）、一つ以上のサブセル又は小セルのカバーエリアが、並存することができる。図に示すように、小セル４１０Ｂ、４１０Ｃは、マクロセル４１０Ａの中に（又は一部分が中に）あり、少なくとも部分的に互いに重なり合う。それぞれのセル４１０は、基地局又はアクセスポイントなどの、ある種のネットワークアクセスデバイス４２０Ａ、４２０Ｂ及び４２０Ｃを含むこともできる。それぞれのネットワークアクセスデバイス４２０は、１つ以上のモバイル機器４３０、並びにコアネットワーク４４０と通信することができる。ネットワークアクセスデバイス４２０とコアネットワーク４４０との間で存在し得る、考えられる中間のネットワーク構成要素、又は、システムエレメントは図示されていない。本出願に適用できる特定の実施形態では、モバイル機器４３０は、マクロセル４１０Ａ内で移動中であり、小セル４１０Ｂのカバーエリアから出て小セル４１０Ｃのカバーエリアに入りつつある場合がある。このようにして、モバイル機器４３０は、３つのセル（マクロセル４１０Ａ、小セル４１０Ｂ及び／又は、小セル４１０Ｃ）全てと通信する可能性がある。
【００３０】
特定の実施形態では、ＨｅｔＮｅｔシステムは、マクロセルと重なり合うか又はそれに包含される、多くの小セルを含む場合がある。ＨｅｔＮｅｔ内の小セルの範囲中に位置するユーザ機器（ＵＥ）などのモバイル機器は、通常、オーバーレイマクロセル及び近くの小セルの双方と通信することができる。ＨｅｔＮｅｔにおいて、ＵＥが小セルに接続されていて、高速に移動中又は間欠受信（ＤＲＸ）モードにあるとき、接続したセルの端にいて、目標小セルにハンドオーバーするアクティブモードハンドオーバーを実行する十分な時間を有しない場合がある。そのような場合、アクティブモードハンドオーバーは、失敗の恐れがあり、ＵＥは無線リンク障害（ＲＬＦ）に遭う可能性がある。無線リンク障害を検出すると同時に、ＵＥは、無線リソース制御（ＲＲＣ）再確立手順を実行することによって、無線リンク障害から回復しようとする。
【００３１】
ＬＴＥにおいて、ＤＲＸモードは、ＲＲＣ＿ＩＤＬＥ及びＲＲＣ＿ＣＯＮＮＥＣＴＥＤ状態の双方で、オンにすることができる。ＲＲＣ＿ＩＤＬＥ状態では、ＵＥは、進化型パケットシステム（ＥＰＳ）モビリティ管理（ＥＭＭ）に登録されるが、アクティブセッションは有しない。この状態では、ＵＥは、下りリンク（ＤＬ）の通信について、ページングされることができる。ＵＥは、サービス中のｅＮＢとのＲＲＣ接続を要求することによって、上りリンク（ＵＬ）の通信を始めることもできる。ＬＴＥでは、ＤＲＸモードは、ＲＲＣ＿ＣＯＮＮＥＣＴＥＤ状態でオンにすることもできる。ＲＲＣ＿ＣＯＮＮＥＣＴＥＤ状態では、ＤＲＸモードは、パケット到着プロセスの間の休止期間中に、オンにされる。送信／受信される未処理の／新しいパケットがないとき、ｅＮＢ／ＵＥは、ＤＲＸモードを開始することができる。
【００３２】
しかし、一般的な小セルは事実上単一のセクターであるため、ＵＥは、用意されたＵＥコンテキストを有しないセルに終着する可能性がある。これは、マルチセクタマクロセルのセクターの間で移動中のモバイル機器と対照的である。この場合、マクロセルのコントローラは、そのＵＥ用のｅＮｏｄｅＢ固有のＲＲＣ状態を維持することができる。したがって、マクロセルでは、たとえＵＥが１つのセクターから別のセクターに移動するとしても、ｅＮｏｄｅＢは、１つのセクターから次のセクターまで、そのＵＥ用の同じＲＲＣ状態を使用する。かかるシナリオでは、ＲＲＣ再確立は失敗する可能性があり、無線周波数（ＲＦ）損失から回復するために、ＵＥがアタッチ又はサービス要求の手順を実行することが必要となるであろう。アタッチ又はサービス要求の手順は、ＵＥの性能に悪影響を与える可能性がある。
【００３３】
図５は、特定の実施形態に係る、例示的な修正されたＨｅｔＮｅｔハンドオーバーフロー５００を示す。ＨｅｔＮｅｔ配置において、小セルがモバイル機器に対するサービングセル又はソースセルであり（５１０）、ＵＥが１つの小セルから別の小セルへ移動中である（そして、両セルは１つのマクロセルのカバーエリア内にある）と想定すれば、ソースセルは、ハンドオーバー準備段階の期間に、目標小セル並びにマクロセルの両者を用意する（５２０）。本準備段階は、ハンドオーバー時、又は、ハンドオーバーのずっと前（すなわち、「無限」であり得る）に終えることができるので、ハンドオーバー時に終える必要がない。例えば、ＬＴＥにおいて、ソースセルは、目標小セル、及び、マクロセルはシステム情報ブロック（ＳＩＢ）４及び／又は５を使用していることを、ＵＥに知らせることができる。この情報ブロックは、近隣情報及びＲＲＣメッセージを提供することができる（５３０）。
【００３４】
ソースセルからハンドオーバーコマンドを受信すると同時に、ＵＥは、目標小セルにハンドオーバーすることを最初に試みることができる（５４０）。成功したならば（５５０）、ハンドオーバーは完了する（５６０）。不成功であるならば（５５０）、ＵＥはマクロセルに戻って、マクロセルとのハンドオーバーを実行する（５７０）。ＲＦ損失を検出すると同時に、ＵＥは、マクロセルとのＲＲＣ再確立手順を実行することを試みることができる。成功したハンドオーバー又はマクロセルとの再確立と同時に、マクロセルは、自身の過負荷を避けるために、近くの小セルにＵＥをオフロード（offload）することができる（５８０）。
【００３５】
要約すると、ＨｅｔＮｅｔ配置におけるＵＥに関するハンドオーバー成功率を改善することを目的として、ＵＥは以下を実行することができる。ソースｅＮＢは、ハンドオーバー意思決定の期間に、ハンドオーバー候補として、目標小セルに加えて、マクロｅＮｏｄｅＢを用意することができる。ＵＥは、ＲＲＣメッセージングを用いて、目標小セル及びｅＮｏｄｅＢを通知される。ハンドオーバーコマンドを受信するか、又はＲＦ損失を検出した後に、ＵＥは、目標小セルに接続しようと試みることができる。ＵＥが目標小セルに接続することができない場合には、ＵＥは、マクロｅＮｏｄｅＢに接続することになる。ＵＥが接続することになるｅＮｏｄｅＢは、Ｓ１メッセージングを用いて、ＭＭＥに通知することができる。
【００３６】
本明細書に参考として組み込まれる、既存のＬＴＥ  Ｘ２／Ｓ１ベースのハンドオーバー手法は、マクロセル並びに目標小セルの双方を用意するために、用いることができる。候補マクロセルは、無限の継続時間の間、用意することができる。その間に、ソースが、ＵＥに用意されたセルと接続させたくないならば、その用意を取り消さなければならないか、又は、大きなタイマー値（例えばデータ若しくは通話の接続又はコールの継続時間に基づいて、例えば切断後の数時間又は３０分間）を設けることができる。図６は、特定の実施形態に係る、例示的な変更されたＨｅｔＮｅｔハンドオーバーのコールフローを示す。図７は、特定の実施形態に係る、無線リンク障害をサポートするための、例示的な変更されたＨｅｔＮｅｔハンドオーバーのコールフローを示す。
【００３７】
本開示の特定の実施形態は、目標小セル及びオーバーレイマクロセルの双方を用意することによって、ＨｅｔＮｅｔ配置におけるハンドオフの失敗を低減する方法を含むことができる。ソース小セルは、ＵＥにハンドオーバーコマンドを送信する前のハンドオーバー準備の期間に、オーバーレイマクロセル及び目標小セルの双方を前もって用意することができる。ソース小セルは、ＲＲＣメッセージを用いて、用意されたハンドオーバー候補の識別子をＵＥに通知することができる。ＵＥは、目標小セルとのハンドオーバー手順を完了することを最初に試みることができる。ハンドオーバーを完了することができない場合には、用意されたマクロセルにフォールバック（fall back）することができる。無線リンク障害（ＲＬＦ）の場合には、ＵＥは用意されたマクロセルにフォールバックすることができる。ＵＥが、うまく目標マクロセルとのＲＲＣ再確立を実行することができるとすぐに、マクロセルは、標準の手順を用いて、近くの小セルにＵＥをオフロードすることができる。
【００３８】
ＵＥの速度又はモビリティが増加すると、ＨｅｔＮｅｔ配置において、より多数の小さなセルサイズの潜在性のせいで、頻繁なハンドオーバーの起こる可能性がある。これは、ハンドオーバー性能の劣化、無線リンク障害（ＲＬＦ）及びＲＲＣ再確立手順の増加、並びに、不必要なハンドオーバー又は「ピンポン」現象をもたらす可能性がある。特定の実施形態では、ｅＮＢは、ＵＥのモビリティ又はモビリティ状態（後述するような）を考慮することにより、ｅＮＢが、ハンドオーバー失敗及び／又はＲＦ損失状況をサポートするために、小セルに加えて、マクロｅＮｏｄｅＢを用意する必要があるかどうかを決定することができる。
【００３９】
ＬＴＥでは、いかなるデータ伝送も、ＵＥが大電力のＲＲＣ接続状態にあることを必要とする。どのデータアプリケーションでも、データが送信又は受信されていない時がしばしばあり、その間に、接続状態間欠受信（ＤＲＸ）モードを用いて、エネルギー（すなわち、ＵＥの電池寿命）を節約することができる。接続状態ＤＲＸ（Ｃ−ＤＲＸ又はｃＤＲＸ）は、エネルギーを節約するために、実行中のデータアプリケーションの性能、及び／又は、サービングセルと効率的に通信する性能に悪影響を及ぼさないことを目的として、ＵＥ受信機回路を周期的にシャットダウンし、立ち上げる。
【００４０】
特定の実施形態では、ＵＥはｅＮＢに自分のモビリティ状態を報告することができる。ＵＥは、種々の方法で、そのモビリティ状態を判定することができる。例えば、ＵＥは、そのモビリティ状態を判定するために、デバイス上のモーションセンサを用いることができる。ＵＥは、そのモビリティ状態を判定するために、相対的なｅＮＢ信号強度、ＧＰＳの動き、ドップラーパラメータなどの、一つ以上の他の態様を用いることもできる。本モビリティ状態は、高いか、中位か、低いかといった簡単なものとすることができるし、あるいは、より詳細にかつ精細に提供することもできる。本報告は、媒体アクセス制御（ＭＡＣ）制御エレメント（ＣＥ）によるか、又は、ＲＲＣを介してｅＮＢによって設定されるようなＵＥ測定報告の期間に、行うことができる。更に、新しい、標準以外のメッセージ送信を用いることができる。あるいは、ｅＮＢはＲＲＣを介してＵＥのモビリティ状態（高い、中位の．．．）を推定することができる。
【００４１】
ｅＮＢは、続いて、少なくとも一部はＵＥのモビリティ状態に基づいて、ＲＲＣ不活動タイマーの変更を決定する（すなわち、より高速のＵＥにはタイマーを短くする）ことができる。通常は、基準タイマーは、１．２８秒にセットすることがありえる。これにより、ＵＥはアイドル状態に急速に移行することができ、セルの横断及び／又はピンポン現象による不必要なハンドオーバーを避けることができる。ＬＴＥ規格では、アイドル状態ではＨ／Ｏは起こらないであろう（その代わりに、セル再選択を用いることができる）ため、ハンドオーバー（Ｈ／Ｏ）を回避することができる。ｅＮＢは、更に、ＲＬＦとＲＲＣ再確立の間の時間を短縮するための、パラメータの異なるセットをＵＥに設定する場合もある。例えば、短縮される時間は、３００ｍｓの代わりに１００ミリ秒（ｍｓ）としてもよい。これらのパラメータは、ＵＥのモビリティ状態が特定の閾値を超えた場合にのみ、有効とすることができる。
【００４２】
Ｃ−ＤＲＸでは、ＵＥ速度（例えば、又はＵＥモビリティ状態）により、ｅＮＢは、異なるパラメータ設定を有することができる。例えば、ＵＥが高いモビリティ状態であるならば、次に、Ｃ−ＤＲＸオフ期間を短縮することができる（例えば、３２０ｍｓから１〜１６ｍｓに落として）。これにより、ＵＥは、より正確な参照信号受信電力（ＲＳＲＰ）／参照信号受信品質（ＲＳＲＱ）／無線リンクモニタリング（ＲＬＭ）測定値（例えば、とりわけ、本明細書に参考として全体が組み込まれる、ＬＴＥ規格３６．２１４で定義されるような）を作成することができる。更に、これによって、より頻繁に小セルを見つけることもできる。
【００４３】
図８は、特定の実施形態に係る、例示的なＨｅｔＮｅｔハンドオーバー接続使用ケース８００を示す。ＵＥとｅＮＢとの間で、ＲＲＣ不活動タイマーによって指定された期間の間、データ転送がない場合には、ＵＥは、アイドルモードに移行することになる。アイドルモードでは、ハンドオーバーはなく、ＵＥは、Ｈ／Ｏより厳しくないセル再選択を行うことになる。
【００４４】
図９は、特定の実施形態に係る、例示的なＨｅｔＮｅｔハンドオーバーＣ−ＤＲＸケース９００を示す。Ｃ−ＤＲＸでは、ＵＥ及びｅＮＢは、Ｃ−ＤＲＸのオン期間中にデータを交換することができるが、Ｃ−ＤＲＸのスリープ段階では交換することができない。ｅＮＢは、ＵＥが高いモビリティ状態であることを検出する場合／ときには、Ｃ−ＤＲＸスリープフェーズを短くすることによって、Ｃ−ＤＲＸ設定を変更する（ＲＲＣ再設定によって）ことができる。
【００４５】
ＬＴＥ規格によると、アイドルモードでは一度、ＵＥは、最も強いセルにキャンプオン（camp on）し、１．２８秒ごとに、ページを読み込む。更に、定期的に、ＵＥは、どのセルが最も強い可能性があるかについて判定するために、他のセル情報とともに、セル測定値を読み込む。特定の実施形態によれば、たとえ小セルがより強い信号を有する可能性があるとしても、ＵＥは、アイドルモードの間、複数のセル再選択を避けるために、マクロセルにキャンプオンすることができる。これは、セルを特定する（小セルかマクロセルか）仕組みが適切であることを意味する。ＳＩＢ４及びＳＩＢ５バイアス情報は、ｅＮＢがマクロ又はノードであるかどうかを決定するために用いることができる。ＵＥは、小セルと更に同期するようになる（すなわち、最も強い小セルの１次及び２次の同期信号（ＰＳＳ／ＳＳＳ）／マスター及びシステム情報ブロック（ＭＩＢ／ＳＩＢ）を読み込む）。このように、ＵＥは、２つのセル（マクロセル及び小セル）にキャンプオンすることができる。ＵＥがページングされる（すなわち、下りリンクプロセス）と、まず、マクロセル（そこにキャンプオンしているので）において、ページングに答えようとするであろう。それがマクロセル上で失敗するならば、小セル上で試みることになるが、情報の準備ができているので、小セルとの接続を確立するために必要な時間を低減することができる。
【００４６】
ＵＥがｅＮＢにデータを伝送する（即ち、上りリンクプロセス）必要があるならば、ＵＥは、データ量を確認する（例えば、その情報はバッファ状態で入手できる）ことができる。もし、データ量が小さい（例えば、ＳＭＳ、電子メール等）ならば、ＵＥは、マクロセルに接続することになる。そうではなくて、データ量が大きい（例えば、ビデオストリーミング、何らかのウェブブラウジング、位置情報サービス、等）ならば、データは小セルに送ることができる。音声のためのデータ転送であれば、続いて、ＵＥは最も強いセルに接続することができる。あるいは、おそらく、最初にマクロセルを、次に小セルを試みることができる。
【００４７】
アイドルモード時のＵＥページングに関して、ＵＥは、マクロセルにキャンプオンすることができる。ＵＥは、ＳＩＢ４／ＳＩＢ５に関するバイアス情報を読み込むことによって、マクロセルを特定することになる。ＵＥは、最も強い小セルのＰＳＳ／ＳＳＳ／ＭＩＢ／ＳＩＢもまた、読み込むことができる。ページを受信するとき、ＵＥは、最初にマクロセルにアタッチしようとすることができる。失敗した場合には、続いて、ＵＥは小セルにアタッチすることになる。用意されたマクロセルに対して、用意された小セルにいつアタッチするか／アタッチするかどうかを判断するのに役立てるため、ＵＥは、そのモビリティ状態を更に用いることができる。例えば、ＵＥが、自分は高いモビリティ状態にあると判定する場合には、頻繁なハンドオーバー及び／又は「ピンポン」現象を防止するのに役立てるために、小セルの代わりに、マクロセルにアタッチする方を選ぶことができる。同様に、ＵＥが、自分は低いモビリティ状態にあると判定する場合には、小セルを選ぶことができる。
【００４８】
情報及び信号は、任意の種々の異なる技術及び手法を用いて表すことができることを当業者は理解するであろう。例えば、上述の説明を通して参照することができるデータ、命令、コマンド、情報、信号、ビット、記号、及びチップは、電圧、電流、電磁波、磁界若しくは磁気粒子、光学場若しくは光学粒子、又はそのいかなる組合せによっても表すことができる。
【００４９】
本明細書で開示される例に関連して説明された、さまざまな実例となる論理ブロック、モジュール、及びアルゴリズムのステップは、電子ハードウェア、ファームウェア、コンピュータソフトウェア、ミドルウエア、マイクロコード又はその組合せとして実装することができることを、当業者は更に理解するであろう。ハードウェア及びソフトウェアのこの互換性を明確に示すために、種々の例示的な部品、ブロック、モジュール、回路、及びステップが、それらの機能に関して、全般的に上述された。かかる機能を、ハードウェア又はソフトウェアとして実装するかどうかは、全体システムに課される、特定用途及び設計制約条件又は優先度に依存する。当業者は、それぞれの特定用途について、さまざまな方法で、説明された機能を実施することができるが、かかる実装例決定は、開示された方法の範囲から逸脱すると解釈するべきではない。
【００５０】
本明細書で開示される例に関連して説明されたさまざまな実例となる論理ブロック、部品、モジュール、及び回路は、以下のものによって、実装するか又は実行することができる。以下のものとは、汎用プロセッサ、デジタル信号処理プロセッサ（ＤＳＰ）、特定用途向け集積回路（ＡＳＩＣ）、フィールドプログラマブルゲートアレイ（ＦＰＧＡ）又は他のプログラム可能な論理デバイス、個別のゲート又はトランジスターロジック、個別のハードウェア部品、又は、本明細書に記載の機能を実行するように設計されているその任意の組合せである。汎用プロセッサは、マイクロプロセッサとすることができるが、別の実施例では、プロセッサは、任意の従来のプロセッサ、コントローラ、マイクロコントローラ又は状態機械とすることができる。プロセッサは、例えば、ＤＳＰ及びマイクロプロセッサの組合せ、複数のマイクロプロセッサ、ＤＳＰコアを伴う一つ以上のマイクロプロセッサ、又は、任意の他のかかる構成などの、コンピューティングデバイスの組合せとして、実現することもできる。
【００５１】
本明細書で開示した例に関連して説明した方法又はアルゴリズムのステップは、直接ハードウェアで、１つ以上の処理要素により実行される一つ以上のソフトウェアモジュールで、又は、この２者の組合せで、具現化することができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取外し可能ディスク、ＣＤ−ＲＯＭ、又は、当該分野で周知の記憶媒体の任意の他の形式又は組合せに存在することができる。プロセッサが、記憶媒体から情報を読み、記憶媒体へ情報を書き込むように、一例としての記憶媒体がプロセッサに接続される。別の実施例では、記憶媒体は、プロセッサと一体とすることができる。プロセッサ及び記憶媒体は、特定用途向け集積回路（ＡＳＩＣ）に存在することができる。ＡＳＩＣは、無線モデムに存在することができる。別の実施例では、プロセッサ及び記憶媒体は、無線モデムに個別の部品として存在することができる。
【００５２】
開示された例に関する上述の説明は、当業者が、開示された方法及び装置を製造し又は使用することができるように、提供される。これらの例に対するさまざまな修正は、当業者にとって直ちに明白であろう。そして、本明細書で定義する原則は、他の例に適用することができるし、追加の要素を付加することができる。
【図１】
2018033142.tif 000003
【図２】
2018033142.tif 000004
【図３】
2018033142.tif 000005
【図４】
2018033142.tif 000006
【図５】
2018033142.tif 000007
【図６】
2018033142.tif 000008
【図７】
2018033142.tif 000009
【図８】
2018033142.tif 000010
【図９】
2018033142.tif 000011
【手続補正書】
【提出日】平成29年10月17日(2017.10.17)
【手続補正１】
【補正対象書類名】特許請求の範囲
【補正対象項目名】全文
【補正方法】変更
【補正の内容】
【特許請求の範囲】
【請求項１】
装置であって、
１つ以上の処理要素を備え、前記１つ以上の処理要素が、前記装置を備えるソースセルに、
前記ソースセルと通信するモバイル機器について、当該モバイル機器のモビリティ状態を受信することと、
前記モビリティ状態に基づいて、前記モバイル機器についての無線リソース制御（ＲＲＣ）不活動タイマーを修正することと、
前記モバイル機器にハンドオーバーコマンドを送信する前のハンドオーバー準備においてＬＴＥ Ｘ２ハンドオーバー手法を使用することであって、前記ハンドオーバー準備の期間に、前記モバイル機器のハンドオーバーのためにオーバーレイマクロセルと目標小セルとが用意される、前記使用することと、
前記用意されたオーバーレイマクロセル及び前記用意された目標小セルの識別子を、ＲＲＣメッセージングを用いて前記モバイル機器に送信することと、
を実行させるように構成されている、装置。
【請求項２】
請求項１に記載の装置であって、前記修正されたＲＲＣ不活動タイマーが、前記モビリティ状態がモビリティ状態閾値を上回ることに応じて短縮される、装置。
【請求項３】
請求項１又は２に記載の装置であって、前記モバイル機器が、
前記ソースセルから前記ＲＲＣメッセージングを受信し、
前記ソースセルから前記ハンドオーバーコマンドを受信し、
前記用意された目標小セルとのハンドオーバーを完了することを試み、
前記試みが失敗すると、次に、前記用意されたオーバーレイマクロセルとのハンドオーバーを完了するためにフォールバックする
ように構成されている、装置。
【請求項４】
請求項１から３のいずれか１項に記載の装置であって、前記モバイル機器が、
前記ソースセルから前記ＲＲＣメッセージングを受信し、
無線リンク障害を検出し、
前記用意されたオーバーレイマクロセルとのＲＲＣ再確立を実行することを最初に試み、
再確立成功の後、前記オーバーレイマクロセルから近くの小セルへのハンドオーバーを実行する
ように構成されている、装置。
【請求項５】
請求項１から４のいずれか１項に記載の装置であって、前記オーバーレイマクロセルが、大きなタイマー値を用いて用意される、装置。
【請求項６】
装置であって、
１つ以上の処理要素を備え、前記１つ以上の処理要素が、前記装置を備えるソースセルに、
前記ソースセルと通信するモバイル機器について、当該モバイル機器のモビリティ状態を受信することと、
前記モビリティ状態に基づいて、前記モバイル機器についての接続モード間欠受信（Ｃ−ＤＲＸ）サイクル期間を修正することと、
前記修正されたＣ−ＤＲＸサイクル期間を前記モバイル機器に通知することと、
前記モバイル機器にハンドオーバーコマンドを送信する前のハンドオーバー準備においてＬＴＥ Ｘ２ハンドオーバー手法を使用することであって、前記ハンドオーバー準備の期間に、前記モバイル機器のハンドオーバーのためにオーバーレイマクロセルと目標小セルとが用意される、前記使用することと、
前記用意されたオーバーレイマクロセル及び前記用意された目標小セルの識別子を、ＲＲＣメッセージングを用いて前記モバイル機器に送信することと、
を実行させるように構成されている、装置。
【請求項７】
請求項６に記載の装置であって、前記修正されたＣ−ＤＲＸサイクル期間が、前記モビリティ状態がモビリティ状態閾値を上回ることに応じて短縮される、装置。
【請求項８】
請求項６又は７に記載の装置であって、前記モバイル機器の前記モビリティ状態を受信することは、ＲＲＣを介して前記モバイル機器の前記モビリティ状態を推定することを含む、装置。
【請求項９】
請求項６から８のいずれか１項に記載の装置であって、前記オーバーレイマクロセルが、期間を指定せずに用意される、装置。
【請求項１０】
請求項６から９のいずれか１項に記載の装置であって、前記モビリティ状態が、媒体アクセス制御（ＭＡＣ）制御エレメント（ＣＥ）を介して受信される、装置。
【請求項１１】
装置であって、
１つ以上の処理要素を備え、前記１つ以上の処理要素が、前記装置を備えるソースセルに、
モバイル機器のモビリティ状態を判定することであって、前記モビリティ状態が、少なくとも１つの低モビリティ状態及び少なくとも１つの高モビリティ状態を含む、前記判定することと、
前記モバイル機器が前記少なくとも１つの高モビリティ状態にあることに応じて、短縮された無線リソース制御（ＲＲＣ）不活動タイマーを決定することと、
前記短縮されたＲＲＣ不活動タイマー用のパラメータについての異なるセットを含むモバイル機器設定を送信することと、
を実行させるように構成されている、装置。
【請求項１２】
請求項１１に記載の装置であって、前記１つ以上の処理要素が更に、前記ソースセルに、
前記モバイル機器にハンドオーバーコマンドを送信する前のハンドオーバー準備においてＬＴＥ Ｘ２ハンドオーバー手法を使用することであって、前記ハンドオーバー準備の期間に、前記モバイル機器のハンドオーバーのためにオーバーレイマクロセルと目標小セルとが用意される、前記使用することと、
前記用意されたオーバーレイマクロセル及び前記用意された目標小セルの識別子を、無線リソース制御（ＲＲＣ）メッセージングを用いて前記モバイル機器に送信することと、
を実行させるように構成されている、装置。
【請求項１３】
請求項１１又は１２に記載の装置であって、前記モビリティ状態が、前記モバイル機器から受信される、装置。
【請求項１４】
請求項１１から１３のいずれか１項に記載の装置であって、前記モビリティ状態が、無線リソース制御（ＲＲＣ）を介して前記ソースセルによって設定される、媒体アクセス制御（ＭＡＣ）制御エレメント（ＣＥ）及びモバイル機器測定報告のうちの少なくとも１つを介して受信される、装置。
【請求項１５】
請求項１１から１４のいずれか１項に記載の装置であって、前記モビリティ状態が、前記ソースセルによって推定される、装置。
【請求項１６】
装置であって、
１つ以上の処理要素を備え、前記１つ以上の処理要素が、前記装置を備えるモバイル機器に、
前記モバイル機器のモビリティ状態を判定することであって、前記モビリティ状態が、少なくとも１つの低モビリティ状態及び少なくとも１つの高モビリティ状態を含む、前記判定することと、
前記モビリティ状態の指標を、前記モバイル機器のソースセルに送信することであって、前記モビリティ状態の受信に応じて、前記ソースセルが、短縮された無線リソース制御（ＲＲＣ）不活動タイマーを、前記モバイル機器が前記少なくとも１つの高モビリティ状態にあることに応じて決定するよう構成されており、前記ＲＲＣ不活動タイマーによって指定された期間、前記モバイル機器と前記ソースセルとの間でデータ転送がない場合に、前記モバイル機器がアイドルモードに移行する、前記送信することと、
前記短縮されたＲＲＣ不活動タイマー用のパラメータについての異なるセットを含むモバイル機器設定を、前記ソースセルから受信することと、
を実行させるように構成されている、装置。
【請求項１７】
請求項１６に記載の装置であって、前記１つ以上の処理要素が更に、
用意されたオーバーレイマクロセル及び用意された目標小セルを識別するハンドオーバーコマンドを、無線リソース制御（ＲＲＣ）メッセージングを用いて前記ソースセルから受信することを実行させるように構成されている、装置。
【請求項１８】
請求項１７に記載の装置であって、前記１つ以上の処理要素が更に、
前記用意された目標小セルとのハンドオーバーを完了することを最初に試み、
前記最初の試みが失敗すると、前記用意されたオーバーレイマクロセルとのハンドオーバーを完了する
ように構成されている、装置。
【請求項１９】
請求項１７又は１８に記載の装置であって、前記１つ以上の処理要素が更に、
無線リンク障害を検出し、
前記用意されたオーバーレイマクロセルとのＲＲＣ再確立を実行することを試み、
再確立成功の後、前記オーバーレイマクロセルから近くの小セルへのハンドオーバーを実行する
ように構成されている、装置。
【請求項２０】
請求項１６から１９のいずれか１項に記載の装置であって、前記モビリティ状態の前記指標を送信することは、無線リソース制御（ＲＲＣ）を介して前記ソースセルによって設定される、媒体アクセス制御（ＭＡＣ）制御エレメント（ＣＥ）及びモバイル機器測定報告のうちの少なくとも１つを送信することを含む、装置。
【外国語明細書】
2018033142000001.pdf